(57)【要約】【課題】信号線に映像信号を印加するアンプ回路の消費電力を抑える。【解決手段】アクティブエリア１０の上辺から中央付近まで配置された信号線１１Ａと、アクティブエリア１０の下辺から中央付近まで配置された信号線１１Ｂと、信号線１１Ａ，１１Ｂのそれぞれに接続したアンプ回路１３Ａ，１３Ｂとを備え、アクティブエリア１０の上側が走査されているときは、アンプ回路１３Ａが信号線１１Ａに映像信号を印加し、アクティブエリア１０の下側が走査されているときは、アンプ回路１３Ｂが信号線１１Ｂに映像信号を印加する。これにより、アンプ回路１３Ａ，１３Ｂの消費電力を抑えることができる。【選択図】図１
2010156813.tif 000002
【特許請求の範囲】
【請求項１】
表示領域の一辺端から当該表示領域内まで配置された複数の第１の信号線と、
前記一辺端に対向する他辺端から前記表示領域内まで配置された複数の第２の信号線と、
前記複数の第１の信号線に交差して配置された複数の第１の走査線と、
前記複数の第２の信号線に交差して配置された複数の第２の走査線と、
前記第１の信号線に接続され、前記第１の走査線が走査されるときに前記第１の信号線に映像信号を印加する第１のアンプ回路と、
前記第２の信号線に接続され、前記第２の走査線が走査されるときに前記第２の信号線に映像信号を印加する第２のアンプ回路と、
を備えることを特徴とするアクティブマトリクス型表示装置。
【請求項２】
前記第１の信号線を選択して前記第１のアンプ回路に接続する第１のスイッチと、
前記第２の信号線を選択して前記第２のアンプ回路に接続する第２のスイッチと、
を備えることを特徴とする請求項１に記載のアクティブマトリクス型表示装置。
【請求項３】
前記第１の信号線及び第２の信号線の前記表示領域内の端部に保護ダイオードを備えることを特徴とする請求項１又は２に記載のアクティブマトリクス型表示装置。
【発明の詳細な説明】
【技術分野】
【０００１】
本発明は、表示画素がマトリクス状に配置されたアクティブマトリクス型表示装置において信号線を駆動する技術に関する。
【背景技術】
【０００２】
近年、複数の走査線、信号線をマトリクス状に配置し、その交点に形成される各画素ごとにスイッチング素子を配置したアクティブマトリクス型表示装置が広く利用されている。アクティブマトリクス型表示装置は、映像信号を信号線に印加し、走査信号を走査線に順次印加することにより、スイッチング素子がオン状態になり、画素に映像信号が書き込まれる。表示素子としては、液晶や有機発光素子が用いられる。
【０００３】
図３に従来の表示装置の概略構成を示す。アクティブエリア９０内の、図上で縦方向に伸びた信号線９１と横方向に伸びた走査線９２との交点に画素が形成され、スイッチング素子（図示せず）が配置される。信号線９１はアンプ回路９３に接続されて映像信号が印加される。走査線９２は走査線駆動回路（図示せず）に接続されて走査信号が印加される。
【０００４】
また、本発明に関連する技術として特許文献１を挙げておく。特許文献１は、信号電圧に応じて信号線を駆動する信号線駆動回路をＬＣＤ有効画面部の上下に配置したものである。
【特許文献１】特開平１１−７３１６４号公報
【発明の開示】
【発明が解決しようとする課題】
【０００５】
従来の表示装置では、信号線９１がアクティブエリアの一方の端から他方の端まで繋がっている。そのため、信号線容量が大きく、信号線９１に映像信号を印加するアンプ回路９３の消費電力が大きいという問題があった。また、信号線９１の充放電に時間が掛かるので、１つのアンプ回路９３が映像信号を書き込める信号線９１の数が少ないという問題もあった。
【０００６】
本発明は、上記に鑑みてなされたものであり、その課題とするところは、アクティブマトリクス型表示装置において、信号線に映像信号を印加するアンプ回路の消費電力を抑えることにある。
【課題を解決するための手段】
【０００７】
本発明に係るアクティブマトリクス型表示装置は、表示領域の一辺端から当該表示領域内まで配置された複数の第１の信号線と、一辺端に対向する他辺端から表示領域内まで配置された複数の第２の信号線と、複数の第１の信号線に交差して配置された複数の第１の走査線と、複数の第２の信号線に交差して配置された複数の第２の走査線と、第１の信号線に接続され、第１の走査線が走査されるときに第１の信号線に映像信号を印加する第１のアンプ回路と、第２の信号線に接続され、第２の走査線が走査されるときに第２の信号線に映像信号を印加する第２のアンプ回路と、を備えることを特徴とする。
【０００８】
上記アクティブマトリクス型表示装置において、第１の信号線を選択して第１のアンプ回路に接続する第１のスイッチと、第２の信号線を選択して第２のアンプ回路に接続する第２のスイッチと、を備えることを特徴とする。
【０００９】
上記アクティブマトリクス型表示装置において、第１の信号線及び第２の信号線の表示領域内の端部に保護ダイオードを備えることを特徴とする。
【発明の効果】
【００１０】
本発明にあっては、表示領域の端から表示領域内まで配置された第１、第２の信号線と、信号線に交差して配置された走査線と、第１、第２の信号線のそれぞれに接続された第１、第２のアンプ回路と、を備え、第１のアンプ回路は、第１の信号線と交差する走査線が走査されるときに第１の信号線に映像信号を印加し、第２のアンプ回路は、第２の信号線と交差する走査線が走査されるときに第２の信号線に映像信号を印加する。これにより、第１、第２のアンプ回路は、それぞれに接続された第１、第２の信号線に交差する走査線が走査されるとき、従来の表示装置の信号線よりも短く容量の小さい信号線に映像信号を印加するので、第１、第２のアンプ回路の消費電力を抑えることを可能となる。例えば、信号線を表示領域の中央で上下に分割した場合、表示領域の上半分が走査されているときは第１のアンプ回路が駆動し、下半分が走査されているときは第２のアンプ回路が駆動する。その結果、走査線が走査されるときに映像信号が印加される信号線は上半分か下半分になり、第１、第２のアンプ回路が信号線に映像信号を印加する時間が従来の表示装置と比べておよそ半分になるので、従来の表示装置と比べておよそ半分の消費電力となる。
【００１１】
また、本発明にあっては、第１、第２の信号線をそれぞれ選択して第１、第２のアンプ回路に接続する第１、第２のスイッチを備えることにより、従来の表示装置と同数のアンプ回路で、従来の表示装置と比べておよそ半分の消費電力となる。
【００１２】
このように、本発明によれば、アクティブマトリクス型表示装置において、信号線に映像信号を印加するアンプ回路の消費電力を抑えることができる。
【発明を実施するための最良の形態】
【００１３】
以下、本発明の実施の形態について図面を用いて説明する。
【００１４】
［第１の実施の形態］
図１は、第１の実施の形態におけるアクティブマトリクス型表示装置の構成を示す概略平面図である。同図では、有効な表示領域であるアクティブエリア１０の中心付近から図上で上方向に伸びる信号線１１Ａ、下方向に伸びる信号線１１Ｂ、アクティブエリア１０の端から端まで横方向に伸びる走査線１２Ａ，１２Ｂ、信号線１１Ａに接続され、アクティブエリア１０の上側に配置されたアンプ回路１３Ａ、Ｄ／Ａコンバータ１４Ａ、ラッチ回路１５Ａ、信号線１１Ｂに接続され、アクティブエリア１０の下側に配置されたアンプ回路１３Ｂ、Ｄ／Ａコンバータ１４Ｂ、およびラッチ回路１５Ｂを示す。アンプ回路１３Ａ，１３Ｂは、ＴＦＴ（Thin Film Transistor：薄膜トランジスタ）により構成する。信号線１１Ａ，１１Ｂの端に保護ダイオードを備えてもよい。
【００１５】
アクティブエリア１０においてマトリクス状に配置された信号線１１Ａ，１１Ｂと走査線１２Ａ，１２Ｂの交点に画素が形成され、スイッチング素子（図示せず）が配置される。信号線１１Ａは、上側に配置されたアンプ回路１３Ａによって映像信号が印加され、信号線１１Ｂは、下側に配置されたアンプ回路１３Ｂによって映像信号が印加される。走査線１２Ａ，１２Ｂは、走査線駆動回路（図示せず）に接続されて走査信号が印加される。走査信号によりスイッチング素子がオン状態になり、信号線１１Ａ，１１Ｂに印加された映像信号が画素に書き込まれる。表示素子としては液晶や有機発光素子が用いられる。
【００１６】
アクティブエリア１０の縦方向の長さが同じ従来の表示装置と比べると、１つのアンプ回路１３Ａ，１３Ｂが駆動する信号線１１Ａ，１１Ｂの長さは半分となり、信号線容量も半分となる。走査線１２Ａ，１２Ｂの走査は、アクティブエリア１０の上から下へ順に行われるので、アクティブエリア１０の上半分を走査しているとき、つまり、走査線１２Ａに走査信号が印加されるときは、上側の信号線１１Ａのみに映像信号を印加すればよい。一方、アクティブエリア１０の下半分を走査しているときは、下側の信号線１１Ｂのみに映像信号を印加すればよい。従来の表示装置では信号線を上端から下端まで充放電していたが、アンプ回路１３Ａ，１３Ｂは、走査されている走査線１２Ａ，１２Ｂに応じて、アクティブエリア１０の上下に配置された信号線１１Ａ，１１Ｂのいずれか一方を充放電すればよい。その結果、アンプ回路１３Ａ，１３Ｂが信号線１１Ａ，１１Ｂに映像信号を印加する時間が従来の表示装置と比べておよそ半分になるので、アンプ回路１３Ａ，１３Ｂの消費電力を半分程度に抑えることができる。
【００１７】
次に、図１に示す表示装置の動作について説明する。
【００１８】
ホスト側から１画素分づつ送信されるデジタル映像信号は、サンプリング回路（図示しない）によりサンプリングされ、ラッチ回路１５Ａ，１５Ｂのいずれかにより１ライン分保持される。ラッチ回路１５Ａ，１５Ｂに保持されたデジタル映像信号は、Ｄ／Ａコンバータ１４Ａ，１４Ｂによりアナログ信号に変換され、アンプ回路１３Ａ，１３Ｂにより増幅されて信号線１１Ａ，１１Ｂに印加される。信号線１１Ａ，１１Ｂに印加された映像信号は、走査線１２Ａ，１２Ｂに走査信号が印加されることによりスイッチング素子がオン状態となり、画素に書き込まれる。
【００１９】
走査線１２Ａ，１２Ｂは、アクティブエリア１０の上から順に走査され、一番下の走査線１２Ｂが走査された後は、再び一番上の走査線１２Ａに戻る。アクティブエリア１０の上半分に配置された走査線１２Ａが走査されているときは、信号線１１Ａに接続したアンプ回路１３Ａは映像信号を信号線１１Ａに出力するが、信号線１１Ｂに接続したアンプ回路１３Ｂは映像信号を出力しない。反対に、アクティブエリア１０の下半分に配置された走査線１２Ｂが走査されているときは、信号線１１Ｂに接続したアンプ回路１３Ｂは映像信号を信号線１１Ｂに出力するが、信号線１１Ａに接続したアンプ回路１３Ａは映像信号を出力しない。
【００２０】
以上説明したように、本実施の形態によれば、アクティブエリア１０の上辺から中央付近まで配置された信号線１１Ａと、アクティブエリア１０の下辺から中央付近まで配置された信号線１１Ｂと、信号線１１Ａ，１１Ｂのそれぞれに接続したアンプ回路１３Ａ，１３Ｂとを備え、アクティブエリア１０の上側が走査されているときは、アンプ回路１３Ａが信号線１１Ａに映像信号を印加し、アクティブエリア１０の下側が走査されているときは、アンプ回路１３Ｂが信号線１１Ｂに映像信号を印加することにより、アンプ回路１３Ａ，１３Ｂが信号線１１Ａ，１１Ｂに映像信号を印加する時間が従来よりも短くなるので、アンプ回路１３Ａ，１３Ｂの消費電力を抑えることができる。
【００２１】
［第２の実施の形態］
図２は、第２の実施の形態におけるアクティブマトリクス型表示装置の構成を示す概略平面図である。同図に示す表示装置は、第１の実施の形態における表示装置と同様に、アクティブエリア２０の中心付近で上下に分割された信号線２１Ａ，２１Ｂ、走査線２２Ａ，２２Ｂ、アンプ回路２３Ａ，２３Ｂ、Ｄ／Ａコンバータ２４Ａ，２４Ｂ、およびラッチ回路２５Ａ，２５Ｂを備え、さらに、複数の信号線２１Ａ，２１Ｂのいずれかとアンプ回路２３Ａ，２３Ｂとを接続するスイッチ２６Ａ，２６Ｂを備える。なお、スイッチ２６Ａ，２６ＢはＴＦＴにより構成する。
【００２２】
従来の表示装置に比べ、信号線２１Ａ，２１Ｂの容量が小さいので、アンプ回路２３Ａ，２３Ｂが信号線２１Ａ，２１Ｂを充放電する時間を短縮できる。その結果、１つのアンプ回路２３Ａ，２３Ｂが映像信号を印加する信号線２１Ａ，２１Ｂの数を増やすことが可能となり、アンプ回路２３Ａ，２３Ｂなどの数を減らすことができる。アンプ回路２３Ａ，２３Ｂに接続される信号線２１Ａ，２１Ｂは、スイッチ２６Ａ，２６Ｂを切り替えて選択する。
【００２３】
アクティブエリア２０の上半分が走査されるときは、アンプ回路２３Ａが信号線２１Ａに映像信号を印加し、下半分が走査されるときは、アンプ回路２３Ｂが信号線２１Ｂに映像信号を印加する点は、第１の実施の形態と同様である。
【００２４】
以上説明したように、本実施の形態によれば、アンプ回路２３Ａ，２３Ｂに接続する信号線２１Ａ，２１Ｂを選択するスイッチ２６Ａ，２６Ｂを備えることにより、第１の実施の形態における表示装置よりもアンプ回路２３Ａ，２３Ｂの数を減らすことができる。また、アンプ回路２３Ａ，２３Ｂが信号線２１Ａ，２１Ｂに映像信号を印加する時間が従来の表示装置と比べておよそ半分になるので、アンプ回路２３Ａ，２３Ｂの消費電力を抑えることができる。
【図面の簡単な説明】
【００２５】
【図１】第１の実施の形態におけるアクティブマトリクス型表示装置の構成を示す平面図である。
【図２】第２の実施の形態におけるアクティブマトリクス型表示装置の構成を示す平面図である。
【図３】従来のアクティブマトリクス型表示装置の構成を示す平面図である。
【符号の説明】
【００２６】
１０，２０…アクティブエリア
１１Ａ，１１Ｂ，２１Ａ，２１Ｂ…信号線
１２Ａ，１２Ｂ，２２Ａ，２２Ｂ…走査線
１３Ａ，１３Ｂ，２３Ａ，２３Ｂ…アンプ回路
１４Ａ，１４Ｂ，２４Ａ，２４Ｂ…Ｄ／Ａコンバータ
１５Ａ，１５Ｂ，２５Ａ，２５Ｂ…ラッチ回路
２６Ａ，２６Ｂ…スイッチ
９０…アクティブエリア
９１…信号線
９２…走査線
９３…アンプ回路
【図１】
2010156813.tif 000003
【図２】
2010156813.tif 000004
【図３】
2010156813.tif 000005